【事件の表示】
　特許第２９４４０９０号「光プリントヘツド」の請求項１に係る特許に対する特許異議の申立てについて、次のとおり決定する。
【結　論】
　訂正を認める。
　特許第２９４４０９０号の請求項１に係る特許を維持する。
【理　由】
１．手続の経緯
　本件特許第２９９４４０９０号の請求項１に係る発明は、昭和６３年１１月１６日に特許出願され、平成１１年６月２５日にその特許の設定登録がなされ、その後、請求項１に係る発明の特許について京セラ株式会社より特許異議の申立てがなされ、取消理由通知がなされ、その指定期間内である平成１２年１０月３１日に訂正請求（後日取下げ）がなされたが、再度取消理由通知がなされ、その指定期間内である平成１３年７月１９日に訂正請求がなされたものである。
　
２．訂正の適否についての判断
　ア．特許権者が求めている訂正の内容は、次のとおりである。
　訂正事項ａ：請求項１記載の「光プリントヘッドにおいて、」を「光プリントヘッドにおいて、この光プリントヘッドを光プリンタ等に取付ける時、感光面から短焦点レンズアレイ中心までの距離ｍが短焦点レンズアレイ中心から発光ダイオードアレイまでの距離ｌに等しくなるように、」と訂正する。
　訂正事項ｂ：請求項１記載の「基準面」を、「取付治具の基準面」と訂正する。
　訂正事項ｃ：請求項１記載の「光プリントへツド取付高さの調整手段」を、「ピンからなる光プリントへツド取付高さの調整手段」と訂正する。
　
　イ．訂正の目的の適否、新規事項の有無及び拡張・変更の存否
　訂正事項ａは、特許掲載公報第２頁４欄７〜１０行の記載「この光プリントヘッドを光プリンタ等に取付ける時（公報の「等」は「時」の誤記）、感光面（Ａ）からＳＬＡ中心（公報の「中」は「中心」の誤記）までの距離（ｍ）がＳＬＡ中心から発光ダイオードアレイ（２）（２）・・・の表面までの距離（ｌ）に等しくなるように」に基づき、請求項１に記載された「前記感光面」という記載が明りようではないので、それを明りようにするために、「この光プリントヘッドを光プリンタ等に取付ける時、感光面から短焦点レンズアレイ中心までの距離ｍが短焦点レンズアレイ中心から発光ダイオードアレイまでの距離ｌに等しくなるように、」を追加するものである。したがって、この訂正は、特許請求の範囲の減縮に相当する。
　また、訂正事項ｂは、特許掲載公報第２頁４欄１１行〜１２行目の記載「取付治具（７）の基準面（Ｂ）」に基づき、「基準面」を「取付治具の基準面」と技術的に限定するもので、特許請求の範囲の減縮に相当する。
　さらに、訂正事項ｃは、特許掲載公報第２頁４欄１３〜１６行の記載「この調整手段（６）（６）は・・・植込ピンでもよい。」、第１図、第２図に基づき、「光プリントへツド取付高さの調整手段」を、「ピンからなる光プリントへツド取付高さの調整手段」と技術的に限定するもので、特許請求の範囲の減縮に相当する。
　そして、上記訂正は、いずれも新規事項の追加に該当せず、実質的に特許請求の範囲を拡張又は変更するものではない。
　
　ウ．むすび
　以上のとおりであるから、上記訂正は、特許法等の一部を改正する法律（平成６年法律第１１６号）附則第６条第１項の規定によりなお従前の例によるとされる、平成６年改正前特許法第１２６条第１項乃至第３項の規定に適合するので、当該訂正を認める。
　
３．特許異議の申立てについての判断
　ア．申立ての理由の概要
　特許異議申立人、京セラ株式会社は、甲第１号証（特開昭６２−１６６３７２号公報）、甲第２号証（特開昭６３−４９７８０号公報）、甲第３号証（実願昭５８−５０２４３号（実開昭５９−１５５１４０号）のマイクロフィルム）を提示し、訂正前の請求項１に係る発明は、甲第１号証乃至甲第３号証に記載された発明から当業者が容易に発明をすることができたものであり、特許法第２９条第２項の規定により、特許を受けることができないものであるから、特許を取り消すべきと主張している。
　
　イ．本件の請求項１に係る発明
　上記２．で示したように上記訂正が認められるから、本件の請求項１に係る発明（以下、「本件発明」という。）は、上記訂正請求に係る訂正明細書の特許請求の範囲の請求項１に記載された次のとおりのものである。
　「基台と、その基台の上に整列して載置固着された発光ダイオードアレイと、発光ダイオードアレイの上方に位置するように配置された短焦点レンズアレイとを備え、この短焦点レンズアレイをその中心から前記発光ダイオードアレイまでの距離ｌが共役長ＴＣの略１／２になるように前記基台に固定した光プリントヘッドにおいて、この光プリントヘッドを光プリンタ等に取付ける時、感光面から短焦点レンズアレイ中心までの距離ｍが短焦点レンズアレイ中心から発光ダイオードアレイまでの距離ｌに等しくなるように、前記基台と光プリンタ等の取付治具の基準面との距離を定めるように、前記短焦点レンズアレイ側に突出して前記基台に設けられたピンからなる光プリントヘッド取付高さの調整手段を具備し、この調整手段によって前記短焦点レンズアレイの中心から前記感光面までの距離ｍが前記距離ｌと等しくなるように調整される事を特徴とする光プリントヘッド。」
　
　ウ．刊行物等
　当審が取消理由として通知した刊行物である、刊行物１：特開昭６２−１６６３７２号公報（甲第１号証）、刊行物２：特開昭６３−４９７８０号公報（甲第２号証）、刊行物３：実願昭５８−５０２４３号（実開昭５９−１５５１４０号）のマイクロフィルム（甲第３号証）には、それぞれ下記の事項が記載されている。
　
　［刊行物１］
　ａ．「この発明は光プリンタの焦点調整方法に関し、特にたとえばＬＥＤ、ＬＣＤなどの光学ヘッドとそれに感応する感光体とを含む、光プリンタの焦点調整方法に関する。」（第１頁左下欄１８行〜右上欄１行）、
　ｂ．「感光体１０の上方頂部には、ＬＥＤアレイ１２（第２図）が配列されたＬＥＤヘッド１６を含むＬＥＤアレイユニット１４が配置される。このＬＥＤヘッド１６のＬＥＤアレイ１２からの光を感光体１０に導くために、ＬＥＤアレイ１２の下方に短焦点レンズアレイ１８がこのＬＥＤヘッド１６と一体的に組み合わされる。そして、ＬＥＤヘッド１６の長さ方向両端、すなわち感光体１０の幅方向両端には、高さ調整ねじ２０ａおよび２０ｂがそれぞれ設けられる。したがって、この高さ調整ねじ２０ａおよび２０ｂを用いて、ＬＥＤヘッド１６すなわちＬＥＤアレイユニット１４の長さ方向両端の高さを調整することによって、ＬＥＤアレイ１２の感光体１０に対する焦点調整を行うことができる。」（第２頁右上欄１２行〜左下欄６行）、
　ｃ．「第２図を参照して、ＬＥＤアレイユニット１４のＬＥＤヘッド１６を構成する・・・基板上に、ＬＥＤアレイ１２がその長さ方向に延びて形成される。・・・ＬＥＤヘッド１６は、その幅方向両端が、断面漏斗状の固定フレーム２２の上端部に挟持される。このＬＥＤヘッド１６の上には、断面「コ」字状のカバー２４が取り付けられ、このカバー２４の両側の折り曲げ片は、ねじ２６によって、固定フレーム２２の上端部およびＬＥＤヘッド１６と一体化される。固定フレーム２２の幅方向のほぼ中央であって漏斗状の下方に突出している部分には、ＬＥＤアレイ１２と位置的に対応して、短焦点レンズアレイ１６（１８の誤記と認める）が固着される。・・・なお、カバー２４には、このようなＬＥＤアレイユニット１４をサイドフレーム３２に固定するための保持具３０が、このカバー２４と一体的に形成される。このようなＬＥＤアレイユニット１４は、第３図および第４図に示すように、プリンタのサイドフレーム３２に固定的に保持される。サイドフレーム３２には、２本の平行なスリット３４が縦方向に延びて形成され、このスリット３４には、カバー２４から突出する上述の保持具３０がそれぞれ挿入される。サイドフレーム３２のスリット３４の下方には、内方に突出して、ねじ孔を有するねじ受け部３６が固着される。このねじ受け部３６のねじ孔には、第３図に示すように、高さ調整ねじ２０が螺入される。すなわち、高さ調整ねじ２０（２０ａおよび２０ｂ）はカバー２４に形成された貫通孔を通してねじ受け部３６のねじ孔に挿入される。このとき、カバー２４とねじ受け部３６との間には、定常的には両者を離反する方向に弾発的に付勢するコイルばね３８が介在されている。」（第２頁左下欄７行〜第３頁左上欄８行）、
　ｄ．「短焦点レンズアレイ１８もＬＥＤヘッド１６と一体化しているため、焦点調整は、ＬＥＤアレイユニット１４の長さ方向両端の高さ調整ねじ２０（２０ａおよび２０ｂ）を調整するだけで簡単に行える。」（第３頁左上欄１５〜１９行）、
　ｅ．第２図及び第３図には、短焦点レンズアレイ１８を固定フレーム２２でもって前記カバー２４に固着した上、前記高さ調整ねじ２０を短焦点レンズアレイ１８側に突出させて前記カバー２４に設けた構造のものが示されている。
　
　［刊行物２］
　ｆ．「感光体の表面から基準をとるためのガイドローラーと、感光体に対する面と反対の面より調整することのできる調整ネジと、ガイドローラーを保持し調整ネジにより弾性変形しガイドローラーの高さを変化させるリンクブロックとを有することを特徴とする光プリンドヘッド焦点位置調整機構。」（特許請求の範囲）、
　ｇ．「光プリントヘッドはシャフト６により感光体４に対し垂直方向に自由に動き、バネ５により感光体方向に押し付けられる。感光体４とセルフオックレンズアレイ３との距離は光プリントヘッド１が有するガイドローラー２によって決められ第２図（ａ）は本発明による光プリントヘッドの構成例である。光プリントヘッド組み立て直後は本図のようにリングブロック１０は弾性変形していないが、第２図（ｂ）のように装置組み付け時に調整ネジ１１によってリンクブロックｌｏを弾性変形させる。リンクブロック１０は、ガイドローラ２を保持し、感光体とセルフオックレンズアレイ３との距離がリンクブロック１０の弾性変形により変化する。」（第１頁右下欄１９行〜第２頁左上欄１３行）。
　
　［刊行物３］
　ｈ．「すなわち、第４図についてみると、図中、２１はカバー１８に形成された止め部であって、レンズアレイ１７の位置決め部分であり、感光ドラム７の感光面上にレンズアレイ１７を介して１対１の結像を得る為に１３＋１４が１３＝１４となる位置でレンズアレイ１７が係止する如く形成されている。」（明細書第７頁１１行〜１８行）、
　ｉ．「既述の如くカバー（図示せず）により保持され、その直線度の保たれたレンズアレイ１７は常にＬＥＤアレイ１２の光軸Ｙ上に位置することとなるので、感光ドラム７上の結像点７Ｄは必ず前記光軸Ｙ上に得られるので，ある。したがって、結像点７Ｄにおいて明瞭なピントを得るには、作動距離１４の高さのみ微調整すれば良いことは明らかである。」（明細書第９頁１９行〜第１０頁６行）。
　
　エ．対比・判断
　（１）まず、上記記載ａ〜ｅを含む刊行物１には、下記の発明が記載されている。
　「カバー２４と、そのカバー２４の上に整列して載置固着されたＬＥＤアレイ１２と、ＬＥＤアレイ１２の上方に位置するようにカバー２４に固着された短焦点レンズアレイ１８とを備えたＬＥＤアレイユニット１４において、このＬＥＤアレイユニット１４をプリンタに取付ける時、焦点調整を行うために、前記カバー２４とプリンタのサイドフレーム３２に固着されたねじ受け部３６との距離を調整するように、前記短焦点レンズアレイ１８側に突出して前記カバー２４に設けられ、プリンタのサイドフレーム３２に固着されたねじ受け部３６に螺入されるＬＥＤアレイユニット長さ方向両端の高さ調整ねじ２０を具備し、この高さ調整ねじ２０によって前記短焦点レンズアレイ１８から感光体１０までの距離を調整し焦点調整する事を特徴とするＬＥＤアレイユニット１４。」（以下、「刊行物１発明」という。）
　
　そこで、本件発明と刊行物１発明とを対比する。
　刊行物１発明の「カバー２４」、「ＬＥＤアレイ１２」、「短焦点レンズアレイ１８」、「ＬＥＤアレイユニット１４」は、それぞれ、本件発明の「基台」、「発光ダイオードアレイ」、「短焦点レンズアレイ」、「光プリントヘッド」に相当する。
　また、本件発明の「短焦点レンズアレイをその中心から前記発光ダイオードアレイまでの距離ｌが共役長ＴＣの略１／２になるように前記基台に固定した光プリントヘッド」とは、結像に関しての物体と像との関係からみて、感光面上に正しく結像させるということを表現したものと解される。
　そして、刊行物１発明における「焦点調整を行うため」と、本件発明における「感光面から短焦点レンズアレイ中心までの距離ｍが短焦点レンズアレイ中心から発光ダイオードアレイまでの距離ｌに等しくなるように」とは、結像に関しての物体と像との関係からみて、「感光面上に正しく結像させるべく、感光面から短焦点レンズアレイまでの距離を短焦点レンズアレイから発光ダイオードアレイまでの距離との関係で調整するため」という点で共通する。
　また、刊行物１発明における「前記カバー２４とプリンタのサイドフレーム３２に固着されたねじ受け部３６との距離を調整するように、前記短焦点レンズアレイ１８側に突出して前記カバー２４に設けられ、プリンタのサイドフレーム３２に固着されたねじ受け部３６に螺入されるＬＥＤアレイユニット長さ方向両端の高さ調整ねじ２０を具備し、」と、本件発明における「前記基台と光プリンタ等の取付治具の基準面との距離を定めるように、前記短焦点レンズアレイ側に突出して前記基台に設けられたピンからなる光プリントヘッド取付高さの調整手段を具備し、」とは、「前記基台と光プリンタ等の取付部との距離を定めるように、前記短焦点レンズアレイ側に突出して前記基台に設けられた調整部材を具備し、」という点で共通する。
　
　してみると、本件発明１と刊行物１発明とは、
　「基台と、その基台の上に整列して載置固着された発光ダイオードアレイと、発光ダイオードアレイの上方に位置するように配置された短焦点レンズアレイとを備えた光プリントヘッドにおいて、この光プリントヘッドを光プリンタ等に取付ける時、感光面上に正しく結像させるべく、感光面から短焦点レンズアレイまでの距離を短焦点レンズアレイから発光ダイオードアレイまでの距離との関係で調整するため、前記基台と光プリンタ等の取付部との距離を定めるように、前記短焦点レンズアレイ側に突出して前記基台に設けられた調整部材を具備し、この調整部材によって感光面上に正しく結像させるべく、感光面から短焦点レンズアレイまでの距離を短焦点レンズアレイから発光ダイオードアレイまでの距離との関係で調整する事を特徴とする光プリントヘッド。」である点で一致し、次の点で相違する。
　相違点１：感光面上に正しく結像させるべく、感光面から短焦点レンズアレイまでの距離を短焦点レンズアレイから発光ダイオードアレイまでの距離との関係で調整することに関して、本件発明においては、感光面から短焦点レンズアレイ中心までの距離ｍが短焦点レンズアレイ中心から発光ダイオードアレイまでの距離ｌに等しくなるようにしているのに対して、刊行物１発明においては、単に焦点調整を行うためとし、各部材間の位置関係について明記されていない点。
　相違点２：基台と光プリンタ等の取付部との距離を定めるように、短焦点レンズアレイ側に突出して前記基台に設けられた調整部材を具備することに関して、本件発明では、基台と光プリンタ等の取付治具の基準面との距離を定めるように、短焦点レンズアレイ側に突出して前記基台に設けられたピンからなる光プリントヘッド取付高さの調整手段を具備したとしているのに対して、刊行物１発明においては、カバー２４とプリンタのサイドフレーム３２に固着されたねじ受け部３６との距離を調整するように、短焦点レンズアレイ１８側に突出して前記カバー２４に設けられ、プリンタのサイドフレーム３２に固着されたねじ受け部３６に螺入されるＬＥＤアレイユニット長さ方向両端の高さ調整ねじ２０を具備したとしている点。
　
　上記相違点について検討する。
　まず、相違点１について。
　光プリンタにおいて、感光面上に正しく結像させるべく焦点調整を行うことは当然のことであり、結像に関しての物体と像とを共役の関係にすることは、刊行物３にも記載されているように周知である。
　次に、相違点２について。
　刊行物２には、感光体４とセルフオックレンズアレイ３との距離を調整ネジ１１によって調整することが記載されているが、本件発明の取付治具の基準面を基準として基台に設けられたピンによって高さ調整する点については記載がなく、それを示唆する記載もない。
　刊行物３についても、本件発明の取付治具の基準面を基準として基台に設けられたピンによって高さ調整する点については記載がなく、それを示唆する記載もない。
　そして、本件発明は、基台と光プリンタ等の取付治具の基準面との距離を定めるように、短焦点レンズアレイ側に突出して前記基台に設けられたピンからなる光プリントヘッド取付高さの調整手段を具備したことにより、「ｌ≒Ｔｃ／２と配置し、ｌ＝ｍとなるように光プリントヘッド取付時に調整手段に従って取付けるので、従来の如くＳＬＡの２軸調整を行いながらヘッドを取付けるというわずらわしさがなく、しかもＳＬＡを含めて光プリントヘッドを可動光学部材のない１つの構成部品として取扱える」（訂正明細書第３頁第１８〜２１行）という、各刊行物に記載のものからは期待できない格別の効果を奏するものである。
　したがって、本件発明は、上記刊行物１乃至刊行物３に記載のものから容易に発明をすることができたものとはいえない。
　
　オ．むすび
　以上のとおりであるから、特許異議の申立の理由によっては本件請求項に係る発明の特許を取り消すことはできない。
　また、他に本件請求項に係る発明の特許を取り消すべき理由を発見しない。
　したがって、本件請求項に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１月８日（２００２．１．８）
【訂正の要旨】
訂正の要旨（２０００年異議第７０９０４号）
　特許権者が求める特許明細書の訂正は、次の訂正からなる。
　訂正事項ａ：請求項１記載の「光プリントヘッドにおいて、」を「光プリントヘッドにおいて、この光プリントヘッドを光プリンタ等に取付ける時、感光面から短焦点レンズアレイ中心までの距離ｍが短焦点レンズアレイ中心から発光ダイオードアレイまでの距離１に等しくなるように、」と訂正する。
　訂正事項ｂ：請求項１記載の「基準面」を、「取付治具の基準面」と訂正する。
　訂正事項ｃ：請求項１記載の「光プリントヘツド取付高さの調整手段」を、「ピンからなる光プリントヘツド取付高さの調整手段」と訂正する。
（５４）【発明の名称】
光プリントヘッド
（５７）【特許請求の範囲】
　【請求項１】基台と、その基台の上に整列して載置固着された発光ダイオードアレイと、発光ダイオードアレイの上方に位置するように配置された短焦点レンズアレイとを備え、この短焦点レンズアレイをその中心から前記発光ダイオードアレイまでの距離ｌが共役長ＴＣの略１／２になるように前記基台に固定した光プリントヘッドにおいて、
この光プリントヘッドを光プリンタ等に取付ける時、感光面から短焦点レンズアレイ中心までの距離ｍが短焦点レンズアレイ中心から発光ダイオードアレイまでの距離ｌに等しくなるように、
取付治具の
ピンからなる
【発明の詳細な説明】
（イ）　産業上の利用分野
　本発明は発光素子と短焦点レンズアレイとを有した光プリントヘッドに関する。
（ロ）　従来の技術
　従来より発光ダイオードアレイを光源とする光プリントヘッドは短焦点レンズアレイ（以下ＳＬＡ）というを利用していたが、このＳＬＡは被写界深度が浅く、光源と感光面との距離（いわゆる物体像面距離）は共役長（Ｔｏｔａｌ　ＣｏｎｊｕｇａｔｅＬｅｎｇｔｈ：ＴＣ）以内に正しく設定されなければならなかった。この調整は特開昭６２−２８２９５７号公報等にしめされる様に発光ダイオードアレイの点灯像をモニタしながらＳＬＡをＹ軸とＺ軸の少なくとも２軸調整して位置決めし、プリントヘッドを固定するものである。従って作業が煩雑であるばかりでなく、ＳＬＡを固定してしまうまでは発光ダイオードアレイの配線等の損傷又はプリントヘッド光学部材等の汚染の可能性が高い。そして、例えば１ドット分のみ損傷・汚染等があると印写サンプルで白線であらわれるまで気付かない事があり不都合である。
（ハ）　発明が解決しようとする課題
　本発明は上述の点を考慮してなされたもので取扱いやすい光プリントヘッドを提供するものである。
（ニ）　課題を解決するための手段
　本発明はＳＬＡの略焦点位置に発光ダイオードアレイ発光部が位置するようにあらかじめＳＬＡを基台に固定しておき、そのＳＬＡ近傍の基台上に、光プリントヘッドの基台を光プリンタもしくは光プリントヘッド特性検査機等に取付ける時の取付高さの調整手段（基準高さピン）を設けたものである。
（ホ）　作用
　斯かる構成はＳＬＡの中心と発光ダイオードアレイの距離（ｌ）を略ＴＣ／２に固定してプリントヘッドを構成しておき、ＳＬＡの中心と感光面等の距離（ｍ）が（ｌ）と等しくなる様に取付高さの調整手段を設け、これらの位置関係を共に基台の表面を基準として定めることによって構成及び取付作業を簡潔ならしめるものである。
（へ）　実施例
　第１図は本発明実施例の光プリントヘッドの分解斜視図、第２図は光プリントヘッドの側面図である。図において（１）はアルミニウム平板等からなる基台で、例えばＡ３版印写用ヘッドでは巾３０ｍｍ、長さ３８０ｍｍ、厚さ５ｍｍであり、放熱板と兼用することもできる。（２）（２）…は基台（１）の上に１列に整列して載置されるよう、セラミック基板等の基板（３）に載置固着され配線が施こされた発光ダイオードアレイで、表面に１列又は千鳥配置２〜３列に整列された発光部（ドット）が選択拡散法等で設けられている。尚基板（３）は基台（１）に貼付されているが、基台（１）の表面に直接パターニングを行う場合などは基板（３）は不要であり、また好ましくは基板（３）又は基台（１）上には発光ダイオードアレイの駆動素子（図示せず）が載置配線され、発光ダイオードアレイ（２）（２）…と駆動素子は防塵ガラス（図示せず）等で封止されているのがよい。そして基板（３）又は基台（１）からは電源供給ならびに端子導出のためのフレキシブル基板等からなる補助基板（４）が接続され、基台（１）の側面にビス等で固定されている。（５）は基台（１）に固定された短焦点レンズアレイ（ＳＬＡ）で、その光学部（ロッドレンズ列部分）（５１）は発光ダイオードアレイ（２）（２）…の真上の焦点位置に配置され、一体化されたアングル（５２）で基台（１）の表面又は側面に固定されている。（６）（６）は基台（１）に設けられた微調整ビス等からなる取付高さの調整手段で、この光プリントヘッドを光プリンタ等に取付ける時、感光面（Ａ）からＳＬＡ中心までの距離（ｍ）がＳＬＡ中心から発光ダイオードアレイ（２）（２）…の表面までの距離（ｌ）に等しくなるように基台（１）の表面と光プリンタ等の取付治具（７）の基準面（Ｂ）との距離を定めるようにＳＬＡ側に突出して設けてある。この調整手段（６）（６）はいわゆるＺ軸調整に相当する基準部材で、光プリントヘッド適合光プリンタが特定されている場合には略凸字状の植込ピンでもよい。また好ましくはＳＬＡ（５）の長手方向両端近傍にこの調整手段を複数個設け、発光ダイオードアレイ（２）（２）…の発光部列と一致する線上、もしくはその列線と平行な線上に配置する事により、Ｙ軸調整の目安とするとよい。この様にＳＬＡの使用上の焦点距離をもとにｌ≒Ｔｃ／２としてＳＬＡ（５）を固定することによって、レンズのフォーカスずれが生じることがあるが、ｌ＝ｍとすることで印写ドットの大きさの変動のみにすることができ、これは各々のプリンタにおいては一定であるから印写品質を劣化させることにはならない。
（ト）　発明の効果
　以上の如くｌ≒Ｔｃ／２と配置しｌ＝ｍとなるように光プリントヘッド取付時に調整手段に従って取付けるので、従来の如くＳＬＡの２軸調整を行ないながらヘッドを取付けるというわずらわしさがなく、しかもＳＬＡを含めて光プリントヘッドを可動光学部材のない１つの構成部品として取扱えるから、防塵ガラス等の光プリントヘッドとしての外界保護手段を設けることもでき、取扱が極めて簡便となる。
【図面の簡単な説明】
第１図は本発明実施例の光プリントヘッドの分解斜視図、第２図はその光プリントヘッドの側面図である。
（１）……基台、（２）（２）……発光ダイオードアレイ、（３）……基板、（５）……短焦点レンズアレイ（ＳＬＡ）、（６）（６）……（取付高さの）調整手段。